(57)【要約】【課題】  ディスプレイ装置に多様な種類の複数の映像が共に表示された場合に、ユーザが各映像を容易に認知することができる環境を提供する。【解決手段】  本発明の実施形態によるディスプレイ装置は、画面の少なくとも一領域に映像コンテンツを表示するディスプレイ部と；ソーシャルネットワークサービス（ｓｏｃｉａｌ  ｎｅｔｗｏｒｋ  ｓｅｒｖｉｃｅ）が提供されるために外部サーバーと通信する通信部と；画面の少なくとも一領域に映像コンテンツを表示し、この映像コンテンツにオーバーレイ（ｏｖｅｒｌａｙ）されないように画面の他の一領域にソーシャルネットワークサービス映像を表示し、映像コンテンツ及びソーシャルネットワークサービス映像の中で何れか一つに対するユーザ入力に従って、映像コンテンツの表示サイズとソーシャルネットワークサービス映像の表示サイズを全部調整する制御部と；を含む。【選択図】      図３
2013240055.tif 000002
【特許請求の範囲】
【請求項１】
ディスプレイ装置において、
画面の少なくとも一領域に映像コンテンツを表示するディスプレイ部と；
ソーシャルネットワークサービス（ｓｏｃｉａｌ  ｎｅｔｗｏｒｋ  ｓｅｒｖｉｃｅ）が提供されるために外部サーバーと通信する通信部と；
前記画面の少なくとも一領域に前記映像コンテンツを表示し、前記映像コンテンツにオーバーレイ（ｏｖｅｒｌａｙ）されないように前記画面の他の一領域にソーシャルネットワークサービス映像を表示し、前記映像コンテンツ及び前記ソーシャルネットワークサービス映像の中で何れか一つに対するユーザ入力に従って、前記映像コンテンツの表示サイズと前記ソーシャルネットワークサービス映像の表示サイズを全部調整する制御部と；
を含むことを特徴とするディスプレイ装置。
【請求項２】
前記制御部は、前記映像コンテンツ及び前記ソーシャルネットワークサービス映像の中で何れか一つの表示サイズを大きくなるように調整することに対応して他の一つの表示サイズを小さくなるように調整することを特徴とする請求項１に記載のディスプレイ装置。
【請求項３】
前記映像コンテンツ及び前記ソーシャルネットワークサービス映像は、それぞれの表示サイズが調整されることによって相互オーバーレイされないように表示されることを特徴とする請求項２に記載のディスプレイ装置。
【請求項４】
前記制御部は、前記映像コンテンツに対するユーザ入力に従って前記映像コンテンツの表示サイズを大きくなるように調整し、前記ソーシャルネットワークサービス映像に対するユーザ入力に従って前記ソーシャルネットワークサービス映像の表示サイズを大きくなるように調整することを特徴とする請求項１に記載のディスプレイ装置。
【請求項５】
前記ソーシャルネットワークサービス映像は前記外部サーバーに接続された電子装置とのチャット（ｃｈａｔｔｉｎｇ）映像を含むことを特徴とする請求項１に記載のディスプレイ装置。
【請求項６】
前記ソーシャルネットワークサービス映像に対するユーザ入力は、前記ディスプレイ装置のユーザ入力部を通した入力又は前記電子装置からの入力を含むことを特徴とする請求項５に記載のディスプレイ装置。
【請求項７】
ディスプレイ装置の制御方法において、
ソーシャルネットワークサービスが提供されるために外部サーバーと通信する段階と；
前記ディスプレイ装置の画面の少なくとも一領域に映像コンテンツを表示し、前記映像コンテンツにオーバーレイされないように前記画面の他の一領域にソーシャルネットワークサービス映像を表示する段階と；
前記映像コンテンツ及び前記ソーシャルネットワークサービス映像の中で何れか一つに対するユーザ入力に従って、前記映像コンテンツの表示サイズと前記ソーシャルネットワークサービス映像の表示サイズを全部調整する段階と；
を含むことを特徴とするディスプレイ装置の制御方法。
【請求項８】
前記映像コンテンツの表示サイズと前記ソーシャルネットワークサービス映像の表示サイズを全部調整する段階は、前記映像コンテンツ及び前記ソーシャルネットワークサービス映像の中で何れか一つの表示サイズを大きくなるように調整することに対応して他の一つの表示サイズを小さくなるように調整することを特徴とする請求項７に記載のディスプレイ装置の制御方法。
【請求項９】
前記映像コンテンツ及び前記ソーシャルネットワークサービス映像は、それぞれの表示サイズが調整されることによって相互オーバーレイされないように表示されることを特徴とする請求項８に記載のディスプレイ装置の制御方法。
【請求項１０】
前記映像コンテンツの表示サイズと前記ソーシャルネットワークサービス映像の表示サイズを全部調整する段階は、
前記映像コンテンツに対するユーザ入力に従って前記映像コンテンツの表示サイズを大きくなるように調整する段階と；
前記ソーシャルネットワークサービス映像に対するユーザ入力に従って前記ソーシャルネットワークサービス映像の表示サイズを大きくなるように調整する段階と；
を含むことを特徴とする請求項７に記載のディスプレイ装置の制御方法。
【請求項１１】
前記ソーシャルネットワークサービス映像は前記外部サーバーに接続された電子装置とのチャット映像を含むことを特徴とする請求項７に記載のディスプレイ装置の制御方法。
【請求項１２】
前記ソーシャルネットワークサービス映像に対するユーザ入力は、前記ディスプレイ装置のユーザ入力部を通した入力又は前記電子装置からの入力を含むことを特徴とする請求項１１に記載のディスプレイ装置の制御方法。
【発明の詳細な説明】
【技術分野】
【０００１】
本発明は、多様なコンテンツの映像信号／映像データを処理して、コンテンツ映像を表示するディスプレイ装置及びその制御方法に係り、さらに詳しくは、外部ネットワークと通信可能に接続されることによって外部とチャットを通したコミュニケーションを行う構造のディスプレイ装置及びその制御方法に関する。
【背景技術】
【０００２】
一般的に、ディスプレイ装置は、外部の映像供給源から多様な方法で入力される映像信号を処理してこれを液晶等のディスプレイパネル（ｄｉｓｐｌａｙ  ｐａｎｅｌ）上に映像で表示する。一般のユーザに提供されるディスプレイ装置は、ＴＶ又はモニター等で具現され、例えば、ＴＶで具現されたディスプレイ装置は外部から受信される放送信号をチューニング、デコーディング等のような多様なプロセスを通じてユーザの好む放送チャンネルの映像を提供する。
【０００３】
技術の発展及びコンテンツの増加に従って、ディスプレイ装置は単純に映像を提供する水準を越えて、より多様で複雑な機能を遂行及び提供する。ディスプレイ装置はネットワークを通じてサーバーと接続されたクライアントとしてサーバーとの間に多様なデータを送受信することができるし、ディスプレイ装置はサーバーからゲーム、アプリケーション等のような多様な種類のアプリケーションをダウンロード及び実行させる。このようなアプリケーションによって、ディスプレイ装置の機能を拡張させることができる。
【０００４】
ディスプレイ装置で実行されるアプリケーションの中にはチャット（ｃｈａｔｔｉｎｇ）用アプリケーションがある。チャット用アプリケーションはディスプレイ装置を使用するユーザが、該当ディスプレイ装置とネットワーク上で通信可能に接続された他の装置を使用する他のユーザとの間に文字／記号／イメージ等で具現されるメッセージを送受信するアプリケーションとして、これを通じて両者間の意志伝達が可能である。しかし、ディスプレイ装置にこのように多様な種類の複数の映像が共に表示されている場合に、ユーザが各映像を認知することが容易でない。
【発明の概要】
【発明が解決しようとする課題】
【０００５】
従って、本発明の目的は、ディスプレイ装置に多様な種類の複数の映像が共に表示された場合に、ユーザが各映像を容易に認知することができるようにする環境を提供することを目的とする。
【課題を解決するための手段】
【０００６】
本発明の実施形態によるディスプレイ装置は、画面の少なくとも一領域に映像コンテンツを表示するディスプレイ部と；ソーシャルネットワークサービス（ｓｏｃｉａｌ  ｎｅｔｗｏｒｋ  ｓｅｒｖｉｃｅ）の提供のために外部サーバーと通信する通信部と；前記画面の少なくとも一領域に前記映像コンテンツを表示し、前記映像コンテンツにオーバーレイ（ｏｖｅｒｌａｙ）されないように前記画面の他の一領域にソーシャルネットワークサービス映像を表示し、前記映像コンテンツ及び前記ソーシャルネットワークサービス映像の中で何れか一つに対するユーザ入力に従って、前記映像コンテンツの表示サイズと前記ソーシャルネットワークサービス映像の表示サイズを全部調整する制御部と；を含むことを特徴とする。
【０００７】
ここで、前記制御部は、前記映像コンテンツ及び前記ソーシャルネットワークサービス映像の中で何れか一つの表示サイズを大きくなるように調整することに対応して他の一つの表示サイズを小さくなるように調整することができる。
【０００８】
ここで、前記映像コンテンツ及び前記ソーシャルネットワークサービス映像は、それぞれの表示サイズが調整されることによって相互オーバーレイされないように表示されることができる。
【０００９】
また、前記制御部は、前記映像コンテンツに対するユーザ入力に従って前記映像コンテンツの表示サイズを大きくなるように調整し、前記ソーシャルネットワークサービス映像に対するユーザ入力に従って前記ソーシャルネットワークサービス映像の表示サイズを大きくなるように調整することができる。
【００１０】
また、前記ソーシャルネットワークサービス映像は前記外部サーバーに接続された電子装置とのチャット（ｃｈａｔｔｉｎｇ）映像を含むことができる。
【００１１】
ここで、前記ソーシャルネットワークサービス映像に対するユーザ入力は、前記ディスプレイ装置のユーザ入力部を通した入力又は前記電子装置からの入力を含むことができる。また、本発明の実施形態によるディスプレイ装置の制御方法は、ソーシャルネットワークサービスが提供されるために外部サーバーと通信する段階と；前記ディスプレイ装置の画面の少なくとも一領域に映像コンテンツを表示し、前記映像コンテンツにオーバーレイされないように前記画面の他の一領域にソーシャルネットワークサービス映像を表示する段階と；前記映像コンテンツ及び前記ソーシャルネットワークサービス映像の中で何れか一つに対するユーザ入力に従って、前記映像コンテンツの表示サイズと前記ソーシャルネットワークサービス映像の表示サイズを全部調整する段階と；を含むことを特徴とする。
【００１２】
ここで、前記映像コンテンツの表示サイズと前記ソーシャルネットワークサービス映像の表示サイズを全部調整する段階は、前記映像コンテンツ及び前記ソーシャルネットワークサービス映像の中で何れか一つの表示サイズを大きくなるように調整することに対応して他の一つの表示サイズを小さくなるように調整することができる。
【００１３】
ここで、前記映像コンテンツ及び前記ソーシャルネットワークサービス映像は、それぞれの表示サイズが調整されることによって相互オーバーレイされないように表示されることができる。
【００１４】
また、前記映像コンテンツの表示サイズと前記ソーシャルネットワークサービス映像の表示サイズを全部調整する段階は、前記映像コンテンツに対するユーザ入力に従って前記映像コンテンツの表示サイズを大きくなるように調整する段階と；前記ソーシャルネットワークサービス映像に対するユーザ入力に従って前記ソーシャルネットワークサービス映像の表示サイズを大きくなるように調整する段階と；を含むことができる。
【００１５】
また、前記ソーシャルネットワークサービス映像は前記外部サーバーに接続された電子装置とのチャット映像を含むことができる。ここで、前記ソーシャルネットワークサービス映像に対するユーザ入力は、前記ディスプレイ装置のユーザ入力部を通した入力又は前記電子装置からの入力を含むことができる。
【発明の効果】
【００１６】
本発明によれば、ディスプレイ装置に多様な種類の複数の映像が共に表示された場合に、ユーザが各映像を容易に認知することができるようにする。
【図面の簡単な説明】
【００１７】
【図１】本発明の実施形態によるディスプレイ装置の構成ブロック図である。
【図２】図１のディスプレイ装置に表示されるコンテンツ映像及びチャット映像の例示図である。
【図３】図１のディスプレイ装置で第２動作の遂行によるコンテンツ映像及びチャット映像の変化を示す例示図である。
【図４】図１のディスプレイ装置で第１動作の遂行によるコンテンツ映像及びチャット映像の変化を示す例示図である。
【図５】図１のディスプレイ装置の制御方法を示す制御フローチャートである。
【発明を実施するための形態】
【００１８】
以下、添付図面を参照して本発明に対して詳しく説明する。以下の実施形態では、本発明の思想と直接的に関連のある構成に対してだけ説明し、その他の構成に対しては説明を省略する。しかし、本発明の思想が適用された装置又はシステムを具現することにおいて、このように説明が省略された構成が不必要を意味することではないことを明らかにする。
【００１９】
図１は本発明の実施形態によるディスプレイ装置１の構成ブロック図である。図１に示すように、本実施形態によるディスプレイ装置１は外部の映像供給源（図示せず）から映像信号／映像データを受信する映像受信部１１０と、映像受信部１１０に受信される映像信号に基づいて映像が表示されるように処理する映像処理部１２０と、映像処理部１２０により処理される映像信号を映像で表示するディスプレイ部１３０と、外部ネットワークを通じてサーバー３との間に限定されない信号／データ／情報を送受信する通信部１４０と、ユーザの操作による既設定されたコマンド（ｃｏｍｍａｎｄ）／情報が入力されるユーザ入力部１５０と、ディスプレイ装置１の多様な諸般動作を制御する制御部１６０と、を含む。
【００２０】
本実施形態によるディスプレイ装置１は映像信号／映像データに基づいた映像を表示し、外部ネットワークを通じてサーバー３又はサーバー３と通信可能に接続された一つ以上の電子装置１０とデータを送受信可能な装置で具現することができるので、ＴＶ、携帯用マルチメディアプレーヤー（ｐｏｒｔａｂｌｅ  ｍｕｌｔｉｍｅｄｉａ  ｐｌａｙｅｒ）、モバイルフォン（ｍｏｂｉｌｅ−ｐｈｏｎｅ）等多様な形式のディスプレイ装置１に本発明の思想が適用されることができる。
【００２１】
また、サーバー３に接続された電子装置１０はディスプレイ装置１とネットワークを通じて通信可能な装置ならばその具現方式が限定されない。例えば、電子装置１０はディスプレイ装置１のようにＴＶ、携帯用マルチメディアプレーヤー（ｐｏｒｔａｂｌｅ  ｍｕｌｔｉｍｅｄｉａ  ｐｌａｙｅｒ）、モバイルフォン（ｍｏｂｉｌｅ−ｐｈｏｎｅ）等で具現されたり、又はコンピュータ本体であることもできる。
【００２２】
以下、ディスプレイ装置１の具体的な構成に関し説明する。
【００２３】
映像受信部１１０は外部映像供給源（図示せず）から有線／無線で映像信号を受信して映像処理部１２０に伝達し、受信する映像信号の規格及びディスプレイ装置１の具現方式に対応して多様な方式を有する。例えば、映像受信部１１０はディスプレイ装置１がＴＶで具現される場合に、放送局（図示せず）から送出されるＲＦ（ｒａｄｉｏ  ｆｒｅｑｕｅｎｃｙ）信号、コンポジット（ｃｏｍｐｏｓｉｔｅ）／コンポーネント（ｃｏｍｐｏｎｅｎｔ）ビデオ、スーパービデオ（ｓｕｐｅｒ  ｖｉｄｅｏ）、ＳＣＡＲＴ、ＨＤＭＩ（登録商標：（ｈｉｇｈ  ｄｅｆｉｎｉｔｉｏｎ  ｍｕｌｔｉｍｅｄｉａ  ｉｎｔｅｒｆａｃｅ）、ディスプレイポート（ＤｉｓｐｌａｙＰｏｒｔ）、ＵＤＩ（ｕｎｉｆｉｅｄ  ｄｉｓｐｌａｙ  ｉｎｔｅｒｆａｃｅ）、又はワイヤレス（ｗｉｒｅｌｅｓｓ）ＨＤ規格等による映像信号を受信することができる。映像受信部１１０は映像信号が放送信号の場合にこの放送信号をチャンネル別にチューニングするチューナー（ｔｕｎｅｒ）を含む。
【００２４】
又は、ディスプレイ装置１は映像受信部１１０の構成代りに、通信部１４０を通じてサーバー（図示せず）から映像データパケットを受信し、映像処理部１２０によって該当映像データが処理されるように具現されることもできる。
【００２５】
映像処理部１２０は映像受信部１１０から伝達される映像信号に対して、既設定された多様な映像処理プロセスを行う。映像処理部１２０はこのようなプロセスを行った映像信号をディスプレイ部１３０に出力することによって、ディスプレイ部１３０に該当映像信号に基づく映像が表示されるようにする。
【００２６】
映像処理部１２０が行う映像処理プロセスの種類は限定されないこと、例えば、映像信号の映像フォーマットに対応するデコーディング（ｄｅｃｏｄｉｎｇ）、インターレース（ｉｎｔｅｒｌａｃｅ）方式の映像信号をプログレッシブ（ｐｒｏｇｒｅｓｓｉｖｅ）方式で変換するディ−インタレーシング（ｄｅ−ｉｎｔｅｒｌａｃｉｎｇ）、映像信号を既設定された解像度で調整するスケーリング（ｓｃａｌｉｎｇ）、映像画質改善のためのノイズ減少（ｎｏｉｓｅ  ｒｅｄｕｃｔｉｏｎ）、ディテール強化（ｄｅｔａｉｌ  ｅｎｈａｎｃｅｍｅｎｔ）、フレームリフレッシュレート（ｆｒａｍｅ  ｒｅｆｒｅｓｈ  ｒａｔｅ）変換等を含むことができる。
【００２７】
映像処理部１２０は色々な機能を統合させたＳＯＣ（ｓｙｓｔｅｍ−ｏｎ−ｃｈｉｐ）、又はこのような各プロセスを独自に遂行できる個別的な構成が印刷回路基板上に装着されることによって映像処理ボード（図示せず）で具現されてディスプレイ装置１に内蔵される。
【００２８】
ディスプレイ部１３０は映像処理部１２０から出力される映像信号に基づいて映像を表示する。ディスプレイ部１３０の具現方式は限られず、液晶（ｌｉｑｕｉｄ  ｃｒｙｓｔａｌ）、プラズマ（ｐｌａｓｍａ）、発光ダイオード（ｌｉｇｈｔ−ｅｍｉｔｔｉｎｇ  ｄｉｏｄｅ）、有機発光ダイオード（ｏｒｇａｎｉｃ  ｌｉｇｈｔ−ｅｍｉｔｔｉｎｇ  ｄｉｏｄｅ）、面伝導電子銃
（ｓｕｒｆａｃｅ−ｃｏｎｄｕｃｔｉｏｎ  ｅｌｅｃｔｒｏｎ−ｅｍｉｔｔｅｒ）、炭素ナノチューブ （ｃａｒｂｏｎ  ｎａｎｏ−ｔｕｂｅ）、ナノクリスタル（ｎａｎｏ−ｃｒｙｓｔａｌ）等の多様なディスプレイ方式で具現されることができる。
【００２９】
ディスプレイ部１３０はその具現方式に従って付加的な構成を追加的に含むことができる。例えば、ディスプレイ部１３０が液晶方式の場合、ディスプレイ部１３０は液晶ディスプレイパネル（図示せず）と、これに光を供給するバックライトユニット（図示せず）と、パネル（図示せず）を駆動させるパネル駆動基板（図示せず）と、を含む。
【００３０】
通信部１４０は既設定された有線／無線通信プロトコル（ｐｒｏｔｏｃｏｌ）に従ってサーバー３に接続され、ディスプレイ装置１がサーバー３に接続された電子装置１０との間に通信を行うことができるようにする。通信部１４０は制御部１６０が電子装置１０との間に所定のデータを送信することができるように両方向通信を行うので、即ち通信部１４０は制御部１６０の制御に従ってディスプレイ装置１に既保存されたデータを電子装置１０に送信したり又は電子装置１０から受信されるデータを制御部１６０に伝達することができる。
【００３１】
ユーザ入力部１５０はユーザの操作及び入力によって、既設定された多様な制御コマンド又は限定されない情報を生成して制御部１６０に伝達する。ユーザ入力部１５０はディスプレイ装置１の外側に設置されたメニューキー（ｍｅｍｕ−ｋｅｙ）及び入力パネル（ｐａｎｅｌ）や、ディスプレイ装置１と分離離隔されたリモートコントローラー（ｒｅｍｏｔｅ  ｃｏｎｔｒｏｌｌｅｒ）等で具現される。
【００３２】
又は、ユーザ入力部１５０はディスプレイ部１３０と一体型で具現されることができる。即ち、ディスプレイ部１３０がタッチスクリーン（ｔｏｕｃｈ−ｓｃｒｅｅｎ）の場合、ユーザはディスプレイ部１３０に表示された入力メニュー（図示せず）を通じて既設定されたコマンドを制御部１６０に伝達することもできる。
【００３３】
制御部１６０はこのようなディスプレイ装置１の各構成要素の動作を制御することによってディスプレイ装置１が映像表示をはじめとする多様な機能及び動作を行うようにする。映像表示に対して例えば、制御部１６０は映像受信部１１０又は通信部１４０を通じて所定のコンテンツに関する映像信号／映像データが受信されれば、該当映像データを映像処理部１２０に伝達し、映像処理部１２０で該当映像データに基づくコンテンツ映像が表示されるように制御する。
【００３４】
また、制御部１６０はサーバー３からソーシャルネットワークサービス（ｓｏｃｉａｌ  ｎｅｔｗｏｒｋ  ｓｅｒｖｉｃｅ）が提供されることができる。サーバー３はソーシャルネットワークサービス基盤でディスプレイ装置１及び電子装置１０の相互通信接続サービスを提供することができるし、これに従ってディスプレイ装置１は電子装置１０に対する多様な形態の通信サービスを行うことができる。
【００３５】
例えば、制御部１６０はディスプレイ装置１に既設置されたチャット（ｃｈａｔｔｉｎｇ）用アプリケーションの実行を通じて、サーバー３を経由してディスプレイ装置１及び電子装置１０との間に相互メッセージの通信が行われるようにすることができる。
【００３６】
チャットはディスプレイ装置１を使用する第１ユーザ及び電子装置１０を使用する第２ユーザが、各々ディスプレイ装置１及び電子装置１０を通じてメッセージを入力して相互送信することによって対話を行う動作を意味する。チャットは単に二つの装置の間だけで遂行されるのではない、三つ以上の装置の間で行われることもできる。
【００３７】
このようなメッセージは文字、数字、記号、図案、イメージ等のような多様なテキスト及びグラフィック要素を含むことができる。
【００３８】
ここで、第１ユーザはディスプレイ装置１を使用するユーザ第２ユーザは電子装置１０を使用するユーザを各々意味する。これは各装置に対するユーザの区別のための便宜上の名称に過ぎないことを明らかにする。
【００３９】
本実施形態ではサーバー３がディスプレイ装置１に提供するソーシャルネットワークサービスとしてチャットサービスの場合を例えているが、ソーシャルネットワークサービスは多様な形態で具現が可能なので、チャットサービスという一つの例示によって限定されない。
【００４０】
制御部１６０は第１ユーザからユーザ入力部１５０を通じて電子装置１０とのチャットのためのチャットアプリケーションの実行命令を受信すれば、チャットアプリケーションを実行しこれに従ってチャットのためのチャット映像をディスプレイ部１３０に表示する。ここで、チャット映像はコンテンツ映像を代えて、ディスプレイ部１３０の全体表示領域に表示されたり、又はディスプレイ部１３０の全体表示領域にコンテンツ映像と共に表示されることもできる。後者の場合に対して、以下の図２を参照して説明する。
【００４１】
図２はディスプレイ装置１に表示されるコンテンツ映像２１０及びチャット映像２２０の例示図である。図２に示すように、制御部１６０はディスプレイ部１３０の全体画面１３１の中で第１領域上にコンテンツ映像２１０を表示し、第２領域上にチャット映像２２０を表示する。ここで、第１領域及び第２領域は全体画面１３１内で互いに異なる領域であるので、共に表示されたコンテンツ映像２１０及びチャット映像２２０が相互オーバーレイ（ｏｖｅｒｌａｙ）されない。
【００４２】
最初チャット映像２２０が表示される初期段階には、制御部１６０はコンテンツ映像２１０の大きさをチャット映像２２０より相対的に大きく表示する。コンテンツ映像２１０及びチャット映像２２０それぞれの大きさと、両者間の大きさの差は全体画面１３１の大きさ、コンテンツ映像２１０又はチャット映像２２０の特性等多様な要因によって変わることができる値であるので、特定の数値を限定できない。
【００４３】
制御部１６０は全体画面１３１内でコンテンツ映像２１０及びチャット映像２２０を事前に決まった位置に配置したり、又はユーザ入力部１５０を通した入力指示に従って特定位置にコンテンツ映像２１０及びチャット映像２２０を配置することもできる。
【００４４】
コンテンツ映像２１０は映像受信部１１０又は通信部１４０に受信された映像信号／映像データに基づいた映像を含む。コンテンツ映像２１０はディスプレイ装置１自主的に保存された映像データや、動画でない停止映像や、又は第１領域内に一つでない複数のコンテンツ映像２１０が共に表示される場合も可能である。
【００４５】
チャット映像２２０は第２ユーザの電子装置１０からディスプレイ装置１に受信されたメッセージ履歴２２１と、第１ユーザがユーザ入力部１５０を通じてディスプレイ装置１に入力したメッセージ履歴２２２と、第１ユーザが現再入力しているメッセージがリアルタイムで表示されるメッセージ入力窓２２３を含むことができる。このメッセージ履歴２２１、２２２は上下方向のように特定方向に従って時間順で表示されることによって各メッセージの時間関係を容易に認知することができるように設定される。このようなチャット映像２２０の具現方式は一つの例示に過ぎず、本発明の思想を限定しない。
【００４６】
ここで、万一コンテンツ映像２１０及びチャット映像２２０それぞれの大きさが固定されていて、またコンテンツ映像２１０がチャット映像２２０より相対的にずっと大きい表示サイズを有する状態ならば、第１ユーザがコンテンツ映像２１０を視聴するのは問題がないがチャット映像２２０を認知しにくいことができる。
【００４７】
例えば、ディスプレイ装置１がＴＶで具現される場合を考慮すれば、第１ユーザはディスプレイ装置１のコンテンツ映像２１０に近接された位置でない、コンテンツ映像２１０から所定の距離離隔された位置で該当コンテンツ映像２１０を視聴することが一般的である。このような状態で万一チャット映像２２０の大きさが相対的に小さい状態で固定されていれば、チャット映像２２０に表示される文字を認知し難いことになる。
【００４８】
反面、チャット映像２２０を容易に認知することができるようにチャット映像２２０がコンテンツ映像２１０に比べて相対的に大きく設定されていれば、むしろコンテンツ映像２１０の大きさが小さくなって第１ユーザがコンテンツ映像２１０を視聴し難いことになる。
【００４９】
従って、本実施形態によるディスプレイ装置１は次のように動作する。
【００５０】
制御部１６０はコンテンツ映像２１０及びチャット映像２２０がディスプレイ部１３０に共に表示されている時に、コンテンツ映像２１０及びチャット映像２２０の中で何れか一つに対するインタラクション（ｉｎｔｅｒａｃｔｉｏｎ）動作、即ちユーザ入力の発生に従って、コンテンツ映像２１０及びチャット映像２２０の表示サイズを全部調整する。
【００５１】
ここで、コンテンツ映像２１０及びチャット映像２２０はユーザ入力に対応して変化するサイズが予め決まれるし、コンテンツ映像２１０及びチャット映像２２０が最初に表示される時のデフォルト（ｄｅｆａｕｌｔ）値から変化することができる。即ち、コンテンツ映像２１０及びチャット映像２２０は最初に表示される時にデフォルト大きさを有し、このデフォルト大きさを基準として拡大又は縮小されることができる。
【００５２】
又は、コンテンツ映像２１０及びチャット映像２２０はそれぞれのデフォルト値を基準として拡大だけ可能だったり又は縮小だけ可能なこともできる。例えば、コンテンツ映像２１０及びチャット映像２２０のデフォルト大きさは、コンテンツ映像２１０に対するユーザ入力が行われる場合の大きさになるように設定されることができる。これは、第１ユーザがディスプレイ装置１を使用する主要な用途がコンテンツ映像２１０の視聴にあって、ソーシャルネットワークサービス、例えばチャットサービスは付随的という一般的な使用形態を考慮したのである。もちろん、これは限定事項でなく、第１ユーザがチャットが必要な場合にチャット映像２２０を表示させるという観点で、チャット映像２２０に対するユーザ入力が行われる場合の大きさがそれぞれのデフォルト大きさで設定されることもできる。
【００５３】
本実施形態ではコンテンツ映像２１０に対するユーザ入力が遂行される場合の大きさがコンテンツ映像２１０及びチャット映像２２０のデフォルト大きさの場合に対して説明するが、前述のように本発明の思想はこれに限られないことを明らかにする。
【００５４】
制御部１６０はコンテンツ映像２１０に対するユーザ入力の発生時コンテンツ映像２１０の表示サイズを大きくなるように調整し、チャット映像２２０に対するユーザ入力の発生時チャット映像２２０の表示サイズを大きくなるように調整する。ここで、制御部１６０はコンテンツ映像２１０の表示サイズを大きくなるように調整する場合にはこれに対応してチャット映像２２０の表示サイズを小さくなるように調整し、チャット映像２２０の表示サイズを大きくなるように調整する場合にはこれに対応してコンテンツ映像２１０の表示サイズを小さくなるように調整する。
【００５５】
この時、コンテンツ映像２１０及びチャット映像２２０は、それぞれの表示サイズが調整されることによって相互オーバーレイされないように表示される。ここで、オーバーレイされないということは一つの映像が他の映像によって陰られないことを意味する。したがって、映像を囲んでいるフレームがある場合そのフレームの一部がオーバーレイされることができる。
【００５６】
ここで、コンテンツ映像２１０に対するユーザ入力は、コンテンツ映像２１０に対する設定変更イベントの発生を例えることができる。このようなイベントは第１ユーザがユーザ入力部１５０を通じてコンテンツ映像２１０の多様な特性及び状態、例えば、輝度、コントラスト、色感、画質、音響等の調節、付加情報の表示等多様な因子を調節する場合に発生する。又は、このようなイベントはユーザ入力部１５０でない通信部１４０を通じてサーバー３から発生したり、映像受信部１１０を通じて受信される映像データの特性が変化して受信される場合等に対しても発生することもできる。
【００５７】
一方、チャット映像２２０に対するユーザ入力は、第１ユーザがユーザ入力部１５０を通じてメッセージを入力したり、又は電子装置１０からメッセージが受信される場合等を例えることができる。制御部１６０はユーザ入力部１５０又は通信部１４０を通じてチャット
メッセージ情報が受信されればこれをチャット映像２２０に表示されるように制御するので、チャット映像２２０のユーザ入力はチャット映像２２０の更新表示を発生させる諸般イベントを含むことができる。
【００５８】
制御部１６０はデフォルト状態でチャット映像２２０に対するユーザ入力が行われると判断すれば、図３に示すように、コンテンツ映像２１０及びチャット映像２２０の表示サイズを調整する。
【００５９】
図３はチャット映像２２０に対するユーザ入力に対応してコンテンツ映像２１０及びチャット映像２２０の変化を示す例示図である。図３に示すように、制御部１６０はチャット映像２２０に対するイントレクション動作に従って、コンテンツ映像２１０の大きさを縮小させチャット映像２２０の大きさを拡大させる第２動作を行う。
【００６０】
例えば、第１ユーザがユーザ入力部１５０を通じてメッセージを入力すれば、制御部１６０はチャット映像２２０に対するユーザ入力が行われると判断してチャット映像２２０を拡大させコンテンツ映像２１０を縮小させる。また、制御部１６０は入力されたメッセージをチャット映像２２０に表示し通信部１４０を通じて電子装置１０に送信する。
【００６１】
制御部１６０はユーザ入力部１５０又は通信部１４０を通じてメッセージ情報が受信される間、該当メッセージをチャット映像２２０に表示することによってチャット映像２２０を更新する。このように、既設定された時間の間にチャット映像２２０に対するユーザ入力が発生すれば、制御部１６０はコンテンツ映像２１０及びチャット映像２２０の大きさを図面に図示された状態のように維持させる。
【００６２】
一方、図３のような表示状態でコンテンツ映像２１０に対するユーザ入力が行われると、制御部１６０は図４に示すように図３の場合に比べて、コンテンツ映像２１０の大きさを拡大しチャット映像２２０の大きさを縮小させる。
【００６３】
図４はコンテンツ映像２１０に対するユーザ入力に対応してコンテンツ映像２１０及びチャット映像２２０の変化を示す例示図である。図４に示すように、コンテンツ映像２１０に対するユーザ入力に対応してコンテンツ映像２１０の表示サイズを大きく調整することによって、第１ユーザは容易にコンテンツ映像２１０の特性を調整したり又は容易にコンテンツ映像２１０を視聴することができる。
【００６４】
万一、図３のような表示状態でチャット映像２２０に対するユーザ入力が既設定時間の間にないと判断すれば、制御部１６０は別途のコンテンツ映像２１０に対するユーザ入力がなくても図４のようにコンテンツ映像２１０及びチャット映像２２０の表示サイズを調整することもできる。このような設定は、ユーザの多様な使用パターンを考慮してディスプレイ装置１に既設定されることができる。
【００６５】
一方、このようにコンテンツ映像２１０及びチャット映像２２０の表示サイズが調整される間に、コンテンツ映像２１０及びチャット映像２２０は相互オーバーレイされないように表示されることによって、第１ユーザがコンテンツ映像２１０又はチャット映像２２０を容易に認知するようにすることができる。
【００６６】
以下、本実施形態によるディスプレイ装置１の制御方法に対して図５を参照して説明する。図５はこのような過程を示す制御フローチャートである。
【００６７】
図５に示すように、ディスプレイ装置１はコンテンツ映像を表示する（Ｓ１００）。万一、ソーシャルネットワークサービス（ＳＮＳ）が実行されれば（Ｓ１１０）、ディスプレイ装置１は画面内で相互オーバーレイされないようにコンテンツ映像及びＳＮＳ映像を共に表示する（Ｓ１２０）。
【００６８】
ソーシャルネットワークサービスは、インターネット、ウェブ等のような通信ネットワーク上で、複数のユーザの間に人的ネットワークを形成することができるようにするサービスを通称する。ソーシャルネットワークサービスは何れか一人のユーザを基準として見ると、友人、先後輩、同僚等の既存の知人との人脈関係を強化させる一方、新しい人脈関係を形成することができるようにすることによって幅広い人間関係の形成に寄与することができる。したがって、ソーシャルネットワークサービスは広域通信ネットワークを基盤とする開放型特性を有する。
【００６９】
ソーシャルネットワークサービスは複数のユーザの間の自由な意思疎通、情報共有、人脈拡大等を通して社会的関係を生成及び強化させる諸般オンラインプラットホームを意味し、例えば、多様な形式で具現される各通信端末を通じてネットワークに接続された複数のユーザが相互間に情報及び意思交換又はフィードバックできるチャット、ブログ（ｂｌｏｇ）、情報／マルチメディア共有等多様なサービスを含む。
【００７０】
ソーシャルネットワークサービスはこのように広範囲なユーザの間の人的ネットワークを通じて、何れか一人のユーザの人脈形成の側面を越えて多様な活用範囲に適用されることができる。例えば、ソーシャルネットワークサービスはネットワークを通した電子商取引のソーシャルコマース（ｓｏｃｉａｌ  ｃｏｍｍｅｒｃｅ）、各ユーザが個別的に生成したコンテンツの電波又は販売、公共部門の政策広報又は嘆願受付等が可能である。
【００７１】
ディスプレイ装置１はコンテンツ映像及びＳＮＳ映像が共に表示された状態で、コンテンツ映像に対するユーザ入力が発生すれば（Ｓ１３０）、コンテンツ映像を拡大しＳＮＳ映像を縮小する（Ｓ１４０）。又は、ディスプレイ装置１はＳＮＳ映像に対するユーザ入力が発生すれば（Ｓ１５０）、コンテンツ映像を縮小しＳＮＳ映像を拡大する（Ｓ１６０）。
【００７２】
以上、多様な実施形態を通じて本発明に対して図示し説明したが、本発明はこれに限定されず、本発明の属する技術分野の通常の知識を有する人なら本発明の原則や精神に外れなく本発明の一実施形態を変形し得ることを分かることができる。発明の範囲は、特許請求の範囲とその均等物によって定まれる。
【符号の説明】
【００７３】
１      ディスプレイ装置
１１０  映像受信部
１２０  映像処理部
１３０  ディスプレイ部
１４０  通信部
１５０  ユーザ入力部
１６０  制御部
【図１】
2013240055.tif 000003
【図２】
2013240055.tif 000004
【図３】
2013240055.tif 000005
【図４】
2013240055.tif 000006
【図５】
2013240055.tif 000007